(57)【要約】【課題】臭いに敏感な動物に対しても有効であると共に、対象となる獲物を効率よく捕獲することが可能である捕獲装置及び捕獲システムを提供する。【解決手段】捕獲装置本体１内に獲物が侵入したタイミングで、画像通信手段７でその旨と獲物の画像（写真）を送信し、ユーザの携帯電話機１１からの所定の信号に基づいて開閉制御手段９によって開閉扉５を下降させて開口口２を閉塞して獲物を捕獲する。【選択図】図１
2011083198.tif 000002
【特許請求の範囲】
【請求項１】
開閉口を有する捕獲装置本体と、
該捕獲装置本体への侵入を検知したタイミングで同捕獲装置本体の内部を撮像する撮像手段と、
前記捕獲装置本体に侵入があった旨を前記撮像手段で撮像された撮像データと共にユーザ端末に向けて送信する送信手段と、
前記ユーザ端末からの所定の信号を受信することにより前記捕獲装置本体の開閉口を閉じる制御手段とを備える
捕獲装置。
【請求項２】
前記捕獲装置本体の現在位置を位置情報として検出する位置検出手段を備え、
前記送信手段は、前記位置検出手段で検出した位置情報を前記捕獲装置本体に侵入があった旨及び前記撮像データと共にユーザ端末に向けて送信可能に構成された
請求項１に記載の捕獲装置。
【請求項３】
前記位置検出手段は、ＧＰＳシステムである
請求項２に記載の捕獲装置。
【請求項４】
開閉口を有する捕獲装置本体と、該捕獲装置本体への侵入を検知したタイミングで同捕獲装置本体の内部を撮像する撮像手段と、前記捕獲装置本体に侵入があった旨を前記撮像手段で撮像された撮像データと共に送信する送信手段と、前記捕獲装置本体の開閉口を閉じる制御手段を有する捕獲装置と、
前記送信手段から送信される情報を受信する受信手段と、該受信手段で受信した情報を表示する表示手段を有するユーザ端末とを備える捕獲装置システムであって、
前記ユーザ端末から送信された所定の信号に基づいて、前記制御手段が前記捕獲装置本体の開閉口を閉じるべく構成された
捕獲装置システム。
【発明の詳細な説明】
【技術分野】
【０００１】
本発明は捕獲装置及び捕獲装置システムに関する。詳しくは、携帯電話等により開閉口を制御することができる捕獲装置及び捕獲装置システムに係るものである。
【背景技術】
【０００２】
近年、有害鳥獣による農作物の被害が各地より報告されており、かかる有害鳥獣への対策として現状では、「有害鳥獣捕獲」による狩猟が主な対策とされている。
【０００３】
ここで、「有害鳥獣捕獲」とは、野生鳥獣が農林水産物等に被害を与える場合や生活環境を悪化させる場合に、その被害を防止するために法律で捕獲が禁止されている種類の野生鳥獣や、法律で捕獲が禁止されている場所、法律で捕獲が禁止されている期間であったとしても、環境大臣、県知事または市町村長の認可を受けることにより、野生鳥獣の捕獲を行うことができる制度を言う。
【０００４】
そして、実際にイノシシやシカ等を捕獲する場合には、例えば特許文献１で示すような罠装置を山中に仕掛けている。
【０００５】
ここで、特許文献１に記載されている罠装置１０１は、図２に示すように、檻本体１０２と、昇降することで檻本体１０２の開口部１０３を開閉可能な開閉扉１０４と、開閉扉１０４を閉じ作動させるトリガー装置１０５及び報知装置１０６を備えている。
そして、開閉扉１０４を開けた状態でトリガー装置１０５によって停止させておき、檻本体１０２に獲物が入ったことを感知してトリガー装置１０５が作動して開閉扉１０４が落ち、開口部１０３を閉じて獲物を捕獲できるといった具合である。
また、報知装置１０６は発信機１０７と受信機１０８で構成されており、トリガー装置１０５の作動により発信機１０７から信号が発信され、その信号を受信機１０８が受信すると、音を発したり、ランプやデジタル表示で報知したりすることによって獲物を捕獲したことを確認することができる構成とされている。
【先行技術文献】
【特許文献】
【０００６】
【特許文献１】特開２００３−１３４９８４号公報
【発明の概要】
【発明が解決しようとする課題】
【０００７】
しかしながら、檻本体に獲物が入ったことをトリガーとして開閉扉を閉じたり、檻本体内に配置したエサを取ったことをトリガーとして開閉扉を閉じたりする構成の場合には、罠装置が正常に作動すべく、入念に設置作業を行う必要がある。そして、入念に設置作業を行う必要があるが故に、罠装置に人間の臭いが付着してしまい、臭いに敏感な動物（例えば、イノシシ等）は罠装置に近づかなくなってしまう。
【０００８】
また、檻本体に獲物が入ったことをトリガーとして開閉扉を閉じたり、檻本体内に配置したエサを取ったことをトリガーとして開閉扉を閉じたりする構成の場合には、捕獲対象外の動物までも捕獲してしまうことも充分に考えられる。
【０００９】
なお、対象外の動物が捕獲された場合（体長が規定以下の場合も含む）には捕獲した動物を檻から解放しなければならず、その都度罠装置まで出向いて扉を開放する作業を行わなければならない。
【００１０】
本発明は以上の点に鑑みて創案されたものであって、臭いに敏感な動物に対しても有効であると共に、対象となる獲物を効率よく捕獲することが可能である捕獲装置及び捕獲システムを提供することを目的とするものである。
【課題を解決するための手段】
【００１１】
上記の目的を達成するために、本発明に係る捕獲装置では、開閉口を有する捕獲装置本体と、該捕獲装置本体への侵入を検知したタイミングで同捕獲装置本体の内部を撮像する撮像手段と、前記捕獲装置本体に侵入があった旨を前記撮像手段で撮像された撮像データと共にユーザ端末に向けて送信する送信手段と、前記ユーザ端末からの所定の信号を受信することにより前記捕獲装置本体の開閉口を閉じる制御手段とを備える。
【００１２】
また、上記の目的を達成するために、本発明に係る捕獲装置システムでは、開閉口を有する捕獲装置本体と、該捕獲装置本体への侵入を検知したタイミングで同捕獲装置本体の内部を撮像する撮像手段と、前記捕獲装置本体に侵入があった旨を前記撮像手段で撮像された撮像データと共に送信する送信手段と、前記捕獲装置本体の開閉口を閉じる制御手段を有する捕獲装置と、前記送信手段から送信される情報を受信する受信手段と、該受信手段で受信した情報を表示する表示手段を有するユーザ端末とを備える捕獲装置システムであって、前記ユーザ端末から送信された所定の信号に基づいて、前記制御手段が前記捕獲装置本体の開閉口を閉じるべく構成されている。
【００１３】
ここで、ユーザ端末からの所定の信号を受信することにより捕獲装置本体の開閉口を閉じる制御手段によって、捕獲装置本体に獲物が入ったことをトリガーとして開閉口を閉じたり、捕獲装置本体に配置したエサを取ったことをトリガーとして開閉口を閉じたりする必要がなく、捕獲装置本体の設置作業が極めて容易になる。そのため、入念な設置作業を要せず、短時間の設置作業で済むために、捕獲装置本体に人間の臭いが付着し難くなる。
【００１４】
また、捕獲装置本体に侵入があった旨を携帯電話機等のユーザ端末に送信する送信手段によって、捕獲装置本体の設置者であるユーザは、捕獲装置本体内に獲物が侵入したことを知ることができる。また、送信手段では撮像手段で撮像した撮像データも併せて送信するために、ユーザは、捕獲装置本体内に侵入した獲物を確認することができる。
【００１５】
そして、ユーザは、送信手段によって送信された撮像データに基づいて、所定の信号を送信するか否か、即ち、開閉口を閉じるか否かを判断することとなる。そのため、捕獲対象である獲物が捕獲装置本体に侵入した場合のみ開閉口を閉じることが可能となり、効率的な捕獲が実現することとなる。
【００１６】
また、捕獲装置本体の現在位置を位置情報として検出する位置検出手段（例えば、ＧＰＳシステム）を備え、更に、送信手段が、位置検出手段で検出した位置情報を捕獲装置本体に侵入があった旨及び撮像データと共にユーザ端末に向けて送信可能に構成されることによって、複数の捕獲装置を広範囲にわたって設置した場合（例えば、山中に数多くの捕獲装置を設置した場合）であっても、獲物が侵入した捕獲装置本体の位置を容易に特定することが可能となる。
【発明の効果】
【００１７】
本発明を適用した捕獲装置及び捕獲装置システムでは、設置が極めて容易であって短時間で済むために、設置作業時に人間の臭いが付着し難い。そのため、臭いに敏感な動物に対しても充分に有効である。
【００１８】
また、捕獲対象である獲物が侵入した場合にのみ開閉口を閉塞することができ、効率的に獲物を捕獲することができる。
【図面の簡単な説明】
【００１９】
【図１】本発明を適用した捕獲装置システムの一例を示すための模式図である。
【図２】従来の捕獲装置の一例を示す説明図である。
【発明を実施するための形態】
【００２０】
以下、本発明の実施の形態について図面を参酌しながら説明し、本発明の理解に供する。
【００２１】
［捕獲装置システムの構成］
図１は本発明を適用した捕獲装置システムの一例を説明するための模式図であり、ここで示す捕獲装置本体１は、全体が檻構造に構成されており、その前後端に開閉口２が設けられている。
【００２２】
ここで、開閉口２には鉛直方向にスライド可能な開閉扉５が取り付けられている。なお、開閉扉５が上昇している際には、開閉口２が開放され捕獲装置本体１内は出入り可能な状態となり、開閉扉５が下降している際には、開閉口２が開閉扉５により閉塞されて捕獲装置本体１内は出入り不能な状態となる。
【００２３】
また、両側の開閉口２には、捕獲装置本体１への獲物の侵入を検知するための侵入検知センサ４が設けられている。なお、侵入検知センサ４は、例えば、開閉口２の両側に赤外線発光部（図示せず）及び赤外線受光部（図示せず）を配置して、赤外線によって開閉口２を遮るようにし、獲物が捕獲装置本体１内に侵入して赤外線が遮断されることによって検知するといった具合である。
【００２４】
更に、捕獲装置本体１にはカメラ機能を有する送受信機６が設けられており、送受信機６は、画像撮影用カメラ３、画像通信手段７、ＧＰＳ受信機８、開閉制御手段９及びバッテリー１０を備えている。
【００２５】
なお、画像撮影用カメラ３は撮像手段の一例であり、画像通信手段７は送信手段の一例であり、ＧＰＳ受信機８は位置検出手段の一例であり、開閉制御手段９は制御手段の一例である。
【００２６】
ここで、画像撮影用カメラ３は、捕獲装置本体１の内部を撮影するためのものであり、侵入検知センサ４が捕獲装置本体１への獲物の侵入を検知したタイミングで、即ち、獲物が捕獲装置本体１内に侵入すると同時に、捕獲装置本体１内を撮影する様に構成されている。
【００２７】
また、ＧＰＳ受信機８は、ＧＰＳ（Ｇｌｏｂａｌ  Ｐｏｓｉｔｉｏｎｉｎｇ  ｓｙｓｔｍｓ）を構成する複数のＧＰＳ衛星（図示せず）から提供されるＧＰＳ信号を受信して、捕獲装置本体１の現在位置を検出することができる様に構成されている。即ち、ＧＰＳ受信機８は捕獲装置本体１の位置情報を検知可能に構成されている。
【００２８】
画像通信手段７は、画像撮影用カメラ３で撮影した画像と、ＧＰＳ受信機８で検知した位置情報を、「捕獲装置本体１内に獲物が侵入した旨の情報」（例えば「○○の捕獲装置で侵入を検知しました」といった文字情報）と共にユーザの携帯電話機１１に送信可能に構成されている。なお、携帯電話機１１はユーザ端末の一例である。
【００２９】
ここで、本実施の形態では、ユーザ端末として携帯電話機１１を例に挙げて説明を行っているが、画像通信手段７からの信号を受信することができ、また、開閉制御手段９に所定の信号を送信することができれば充分であって、必ずしも携帯電話機１１である必要は無く、例えば、パソコン（図示せず）であっても良い。
【００３０】
開閉制御手段９は、携帯電話機１１から送信される所定の信号を受信すると、開閉扉５を下降して開閉口２を閉塞する。
【００３１】
バッテリー１０は、画像撮影用カメラ３、侵入検知センサ４、画像通信手段７、ＧＰＳ受信機８及び開閉制御手段９に接続されており、このバッテリー１０によって画像撮影用カメラ３、侵入検知センサ４、画像通信手段７、ＧＰＳ受信機８及び開閉制御手段９の駆動が担保できる様に構成されている。
【００３２】
［捕獲装置システムの動作］
上記の様に構成された捕獲装置システムでは、開閉扉５を上昇させて開閉口２を開放し、捕獲装置本体１内に出入り可能な状態を初期状態として捕獲装置本体１を設置する。なお、獲物が捕獲装置本体１内に侵入しやすい様に、捕獲装置本体１内に食料（エサ）を配置しておくのは従来と同様である。
【００３３】
こうした状態で、捕獲装置本体１内に獲物が侵入し、侵入検知センサ４によって侵入したことが検知されると、画像撮影用カメラ３で捕獲装置本体１内が撮影されることとなる。即ち、画像撮影用カメラ３で捕獲装置本体１内に侵入した獲物の画像（写真）を撮影することとなる。
【００３４】
そして、画像撮影用カメラ３で撮影された獲物の画像（写真）は、画像通信手段７によって、「捕獲装置本体１内に獲物が侵入した旨の情報」とＧＰＳ受信機８で検知した位置情報と共にユーザの携帯電話機１１に送信されることとなる。
【００３５】
具体的には、携帯端末用パケット通信（例えば、株式会社ＮＴＴドコモが提供するＤｏＰａ網を利用した通信）を利用して捕獲装置本体１の設置者の携帯電話機１１に、例えば、「○○の捕獲装置で侵入を検知しました」といった電子メール本文に画像（写真）を添付した電子メールが送信されることとなる。なお、ここでの「○○」とは捕獲装置本体１の位置情報を示している。
【００３６】
画像通信手段７から送信された画像（写真）が添付された電子メールを受信すると、具体的には、携帯電話機１１に内蔵された電子メール受信手段（図示せず。なお、「電子メール受信手段」は受信手段の一例である）で電子メールを受信し、携帯電話機１１の液晶パネル（「液晶パネル」は表示手段の一例である）で電子メールの内容を確認すると、ユーザは捕獲装置本体１内に侵入した獲物を捕獲するか否かを決定する。
【００３７】
ここで、捕獲装置本体１内に侵入した獲物を捕獲する場合には、携帯電話機１１から通信回線を通じて所定の信号を送信し、開閉制御手段９に開閉扉５を下降させる。なお、携帯電話機１１から発信する所定の信号は、例えば、「＃１２３」と予め定められたボタンを押したり、送信されてきた電子メールに記載されたアドレス（例えば、ＵＲＬアドレス）をクリックしたりすることが考えられる。
【００３８】
そして、開閉扉５を下降させることで、捕獲装置本体１の開閉口２が閉塞されて捕獲装置本体１内は出入り不能な状態となるために、捕獲装置本体１内に侵入した獲物を捕獲することができる。
【００３９】
一方、捕獲装置本体１内に侵入した獲物を捕獲しない場合には、開閉扉５を下降させる必要がないために、特に何もしなくても良い。但し、捕獲装置本体１内に侵入した獲物が、捕獲装置本体１内に配置した食料（エサ）を食べ尽くしてしまう恐れがあるために、開閉扉５は下降させないものの、例えば、音声や照明等の威嚇手段（図示せず）に所定の信号を送信して作動させることで獲物を威嚇し、威嚇することで捕獲装置本体１内に侵入した獲物を追い出しても良い。
【００４０】
本発明を適用した捕獲装置システムでは、携帯電話機１１から発せられる所定の信号をトリガーとして開閉扉５が下降する構成を採用しており、捕獲装置本体１内に獲物が侵入したことや捕獲装置本体１内に配置された食料（エサ）を食したことをトリガーとして開閉扉５が下降する構成を採用していない。そのため、捕獲装置を設置する際に、その動作を念入りに行う必要がなく極めて短時間での設置が可能であり、捕獲装置に設置者（人間）に臭いが付着しにくい。従って、イノシシの様な臭いに敏感な動物であったとしても捕獲装置の存在を悟られる可能性が低い。
【００４１】
また、本発明を適用した捕獲装置システムでは、捕獲前に捕獲装置本体１内に侵入した獲物を確認することができ、確認した上で開閉扉５を下降させることができる。そのために、意図しない獲物を捕獲することが無く、真にターゲットとしている獲物のみを捕獲することが可能となる。
【符号の説明】
【００４２】
１捕獲装置本体
２開閉口
３画像撮影用カメラ
４侵入検知センサ
５開閉扉
６送受信機
７画像通信手段
８ＧＰＳ受信機
９開閉制御手段
１０バッテリー
１１携帯電話機
【図１】
2011083198.tif 000003
【図２】
2011083198.tif 000004